(57)【要約】包囲側面（７６）から外向きに延びるほぼ水平なセクション（７４）を有する一体式ステンレス鋼Ｕ字型出口パイプ（５２）に手で取外し可能に取り付けられた栓組立て体（４２）を備える飲料ディスペンサ（２０）は、水平なセクション（７４）と重なって接続するための栓シャンク（４８）を有する栓と、栓シャンク（４８）によって支持された栓ロック部材（７８）と、栓シャンク（４８）を出口パイプ（５２）に取外し可能にロックするための栓ロック部材（７８）と取外し可能にロック係合する結合出口パイプロック組立て体（９０，９２）とを有する。ディスペンサ（２０）の底部（２６）に固定されたほぼ水平なセクション（１４４）を有する栓ガード組立て体（６０，６０’）は、カップの内側がノズルの下から飲料を受けるためにノズルまで持ち上げられた状態で、栓ノズル（５０）がノズルの下から外れるのを防止するための栓ノズル（５０）の最下部分に位置するまたはその下に位置する最下ガード面（１４２）と、ガードの前方からノズルを見ることを可能にするように少なくとも部分的に透明であり、かつ取外し可能なＵ字型の飲料名または製品ラベル（１３０）を載せることが可能である、栓（４６）の前方にある上向きセクション（１２４）とを有する。
2005500218.tif 000002
【特許請求の範囲】
【請求項１】
上部と、底部と、前記上部および前記底部間に延びる包囲側壁とを有する中空本体と、支持面の上方で前記底部を支持するベースとを備える加熱飲料ディスペンサであって、手で取外し可能な栓組立て体が、
前記中空本体の前記底部に接続され、かつ、前記包囲側壁から外向きに延びるほぼ水平なセクションを有する出口パイプと、
前記水平なセクションと重なって接続するための栓シャンクを有する栓と、
前記栓シャンクによって支持される栓ロック部材と、
前記栓ロック部材と取外し可能にロック係合して、前記栓シャンクを前記出口パイプに取外し可能にロックするための結合出口パイプロック組立て体と
を備えるところの加熱飲料ディスペンサの改良。
【請求項２】
前記出口パイプ全体が金属で形成される、請求項１に記載の加熱飲料ディスペンサ。
【請求項３】
前記出口パイプ全体がステンレス鋼で形成される、請求項２に記載の加熱飲料ディスペンサ。
【請求項４】
前記出口パイプが、
前記中空本体の前記底部に接続されたほぼ垂直なセクションと、
前記垂直なセクションを前記水平なセクションと相互接続するエルボーセクションとを有する、請求項２に記載の飲料ディスペンサ。
【請求項５】
前記垂直なセクションと、前記エルボーセクションと、前記水平なセクションとが、金属パイプの単一部品から共に一体的に形成される、請求項４に記載の飲料ディスペンサ。
【請求項６】
前記出口パイプおよび前記栓シャンクの一方が、前記出口パイプおよび前記栓シャンクの他方の内径に対して寸法決めされた外径を有し、それにより、前記出口パイプおよび前記栓シャンクの前記一方を前記出口パイプおよび前記栓シャンクの他方の内部に適切にはめ込むのが容易になる、請求項１に記載の飲料ディスペンサ。
【請求項７】
前記栓シャンクが、前記栓シャンクを前記出口パイプに密封するための手段を含む、請求項６に記載の飲料ディスペンサ。
【請求項８】
前記密封手段が、
環状スロットであって、前記環状スロットの内部端部分と前記栓シャンクの内部との間を連絡する内向き円筒スロットに接合された前記栓シャンクの自由端部から外向きに延びるところの環状スロットと、
前記栓シャンクの内部に受けられたとき、外向きに延びる前記環状スロットの内部にはめ込まれ、かつ、前記栓シャンクの内部に内向きに部分的に延びて、前記出口パイプと密封係合するためのＯリングとを含む、請求項７に記載の飲料ディスペンサ。
【請求項９】
前記環状スロットの内部に受けられて、前記Ｏリングが前記スロットから外れるのを阻止するための保持装置を含む、請求項８に記載の飲料ディスペンサ。
【請求項１０】
前記栓ロック部材が、前記栓シャンクの自由端部に隣接して、前記栓シャンクから径方向外向きに延びる、請求項１に記載の飲料ディスペンサ。
【請求項１１】
前記結合出口パイプロック組立て体が、前記包囲側面から間隔をおいて配置された阻止部材を含み、それにより、前記阻止部材と前記包囲側面との間において前記栓ロック部材を受けることが可能になり、
前記阻止部材が、前記栓ロック部材と対向しているとき、前記栓部材と係合して、前記栓シャンクが前記出口パイプからスライド分離するのを防止する、請求項１０に記載の飲料ディスペンサ。
【請求項１２】
前記栓ロック部材が、前記阻止部材と対向して位置するとき、前記結合出口ロック組立て体が、前記出口パイプと前記栓シャンクとの間における相対回転運動を選択的に防止するための手段を含む、請求項１１に記載の飲料ディスペンサ。
【請求項１３】
前記阻止部材が、前記出口パイプに取り付けられる、請求項１２に記載の飲料ディスペンサ。
【請求項１４】
前記栓ロック部材が、前記包囲側面と前記阻止部材との間に位置する予め選択された角度ロック位置にあるとき、移動して、前記栓ロック部材との回転運動防止係合するように取り付けられたロック部材を、相対回転を防止するための前記手段が含む、請求項１２に記載の飲料ディスペンサ。
【請求項１５】
前記ロック部材が、前記出口パイプに対して径方向にスライド移動するように取り付けられる、請求項１４に記載の飲料ディスペンサ。
【請求項１６】
前記ロック部材が、細長いスロットを有しており、前記スロットを通して、前記出口パイプがスライド関係において受け入れられる、請求項１４に記載の飲料ディスペンサ。
【請求項１７】
前記阻止部材が、径方向外向きの回転ロック受けスロットを有し、
前記ロック部材が、前記回転ロック受けスロット内に、スライド結合によって受け入れられるための径方向内向きの回転ロックコネクタを有する、請求項１４に記載の飲料ディスペンサ。
【請求項１８】
前記回転ロックコネクタが、弾力性を有し径方向に延びるほぼ平行な１対のロックフィンガを有しており、前記ロックフィンガの自由端部は、前記回転ロック受けスロット内に挿入中に、前記回転ロック受けスロットの対向側面と係合して、前記フィンガを押すためのカム表面を有している、請求項１７に記載の飲料ディスペンサ。
【請求項１９】
前記回転ロックコネクタが、弾力性を有し径方向に延びるほぼ平行な１対のロックフィンガを有しており、前記ロックフィンガの自由端部は、前記回転ロック受けスロットから抜け出る際に、前記回転ロック受けスロットの対向側面と係合して、前記フィンガを押すためのカム表面を有している、請求項１７に記載の飲料ディスペンサ。
【請求項２０】
前記回転ロックコネクタが、弾力性を有し径方向に延びるほぼ平行な１対のロックフィンガを有しており、前記ロックフィンガの自由端部は、外向きに延びるカム表面を有しており、
前記栓ロック部材における前記ロック部材受けスロットが、
前記フィンガが、前記スロットの内外に径方向にスライドする際に、前記フィンガの前記外向きに延びるカム表面と係合して、前記フィンガを相互に向かって移動させるための内向きに延びる入口カム表面と、
前記フィンガのカム表面が、前記ロック受けスロットの入口の内向きに延びる前記カム表面と係合した後、前記フィンガの弾性的な分離中に、前記カム表面を適切に受け入れるための外向きに延びる結合凹みと
を有する、請求項１７に記載の飲料ディスペンサ。
【請求項２１】
前記出口パイプの前記水平なセクションおよび前記栓シャンクの一方が、前記水平なセクションおよび前記栓セクションの他方の内部においてスライド可能に受け入れられ、そして、内向きに傾斜した端部を有しており、
他方が、Ｏリングの損傷なしに、前記水平なセクションおよび前記栓シャンクの一方の側面と密封係合するための内向きに延びるＯリングを有している、請求項１に記載の飲料ディスペンサ。
【請求項２２】
前記栓ロック部材が、前記栓シャンクの周囲のほぼ半分に沿って、前記栓シャンクから径方向外向きに延びる、請求項１に記載の飲料ディスペンサ。
【請求項２３】
前記結合出口パイプロック組立て体は、外向きに延びる阻止部材を含んでおり、前記阻止部材は、前記阻止部材と径方向に位置合わせされた状態で、前記出口パイプの前記水平なセクションの前記周囲の約半分に沿って外向きに延びて、前記栓ロック部材と係合し、もって、前記出口パイプと前記栓シャンクとの間における相対スライド運動を防止する、請求項２２に記載の飲料ディスペンサ。
【請求項２４】
前記栓ロック部材は、両端部を有しており、前記両端部は、径方向に対して傾斜して、前記端部が、前記栓ロック部材の相対回転を防止するためのスライド可能な回転ロックコネクタを上方にカム運動させることを可能にする、請求項１に記載の飲料ディスペンサ。
【請求項２５】
上部と、底部と、前記上部および前記底部間に延びる包囲側壁とを有する中空本体と、支持面の上方で前記底部を支持するベースとを備える加熱飲料ディスペンサであって、栓組立て体が、
前記中空本体の前記底部に接続され、かつ、前記包囲側壁から外向きに延びるほぼ水平なセクションを有する出口パイプと、
前記水平なセクションと接続するための栓シャンクと、末端下向き出口開口を有するノズルとを有する栓と、
前記末端下向き出口開口の下方で位置合わせされた、飲料が通過する開口を有する前記底部に固定されたほぼ水平なセクションと、前記末端下向き開口またはその下方に位置して、前記栓ノズルが前記ノズルの下から外れるのを防止するための最下ガード面とを有する栓ガード本体を有する栓ガードと
を備えるところの加熱飲料ディスペンサの改良。
【請求項２６】
栓ガードが、前記栓の前方に実質的に透明の上向きセクションを含む、請求項２５に記載の飲料ディスペンサ。
【請求項２７】
前記最下ガード面が、実質的に透明である、請求項２６に記載の飲料ディスペンサ。
【請求項２８】
前記上向きセクションが、別のラベルを取り付けるための手段を有する、請求項２５に記載の飲料ディスペンサ。
【請求項２９】
前記栓ガードが、前記栓ガードを形成するために相互接続された細長い部材で形成される、請求項２５に記載の飲料ディスペンサ。
【請求項３０】
前記水平なセクションが、平面に構成された複数の前記細長い部材によって形成され、最下面が、前記水平なセクションを形成する前記細長い部材の最下面によって形成された前記平面によって形成される、請求項２９に記載の飲料ディスペンサ。
【請求項３１】
前記水平なセクションの前記細長い部材が、後方に向かう方向において、相互にほぼ平行であり、そして、平均的なコーヒーカップの上部の幅以内だけ離れて配置される、請求項３０に記載の飲料ディスペンサ。
【請求項３２】
前記細長い部材間の空間には何も存在していない、請求項２９に記載の飲料ディスペンサ。
【請求項３３】
前記細長い部材のすべてが、前記栓ガード本体内に湾曲して収められたフレームストックで一体的に形成される、請求項２９に記載の飲料ディスペンサ。
【請求項３４】
クロスバー部材が、２つのほぼ垂直な部材によって支持された状態で、前記栓ガードが、前記栓の前方に上向きセクションを有する、請求項２９に記載の飲料ディスペンサ。
【請求項３５】
前記クロスバー部材および前記２つのほぼ垂直な支持部材が、前記栓に向かって内向きに傾斜して、前記クロスバー部材の下方で、２つのほぼ垂直な前記支持部材間において、前記ノズルの前記底部を見ることを容易にするための面を形成している、請求項３４に記載の飲料ディスペンサ。
【請求項３６】
前記栓ガード全体が、相互接続された部材からなり、そして、下向き開口が、前記細長い部材の間のギャップである、請求項２５に記載の飲料ディスペンサ。
【請求項３７】
上部と、底部と、前記上部および前記底部間に延びる包囲側壁とを有する中空本体と、支持面の上方で前記底部を支持するベースとを備える加熱飲料ディスペンサであって、栓組立て体が、
前記中空本体の前記底部に接続され、かつ、前記包囲側壁から外向きに延びるほぼ水平なセクションを有する出口パイプと、
前記水平なセクションと接続するための栓シャンクと、末端下向き出口開口を有するノズルとを有する栓と、
前記下向きノズル開口と直接位置合わせされた開口を有する底部に固定されたほぼ水平なセクションと、前記栓の前方に位置し、少なくとも部分的に透明の上向きセクションとを有する栓ガードと
を備えるところの加熱飲料ディスペンサの改良。
【請求項３８】
少なくとも部分的に透明であって、前記ノズルの前記末端端部を見ることを可能にする水平なセクションを含む、請求項３７に記載の飲料ディスペンサ。
【請求項３９】
前記水平なセクションは、最下ガードセクションを有しており、前記最下ガードセクションは、前記末端下向き開口またはその下方に位置して、カップの内側が前記末端端部に隣接する前記ノズルの後方において移動するのを阻止することによって、前記ノズルの下方から前記栓ノズルが外れるのを防止する、請求項３７に記載の飲料ディスペンサ。
【請求項４０】
前記上向きセクションが、別のラベルを支持するための手段を有する、請求項３７に記載の飲料ディスペンサ。
【請求項４１】
支持するための前記手段が、Ｕ字型ラベルを受けるために厚さが減少されている、前記上向きセクションの上方部分を有する、請求項４０に記載の飲料ディスペンサ。
【請求項４２】
前記上向きセクションの上方部分の上にはめ込まれるＵ字型の弾力性を有するラベルと組み合わされる、請求項４０に記載の飲料ディスペンサ。
【請求項４３】
前記Ｕ字型ラベルの少なくとも一部が、透明である、請求項４２に記載の飲料ディスペンサ。
【請求項４４】
前記Ｕ字型ラベルが、前記上部にのみ隣接して位置して、前記上向きセクションを通して前記ノズルの前記末端端部を見ることを阻害しないようにする、請求項４２に記載の飲料ディスペンサ。
【請求項４５】
前記栓ガードが、前記栓ガードを形成するために相互接続された細長い部材で形成される、請求項３７に記載の飲料ディスペンサ。
【請求項４６】
平面に構成された複数の前記細長い部材によって形成される水平なセクションを含み、最下面が、前記水平なセクションを形成する前記細長い部材の最下面によって形成される前記面によって形成される、請求項４５に記載の飲料ディスペンサ。
【請求項４７】
前記水平なセクションの前記細長い部材が、後方に向かう方向において、相互にほぼ平行であり、そして、平均的なコーヒーカップの上部の幅以内だけ離れて配置される、請求項４６に記載の飲料ディスペンサ。
【請求項４８】
前記細長い部材間の空間には何も存在していない、請求項４５に記載の飲料ディスペンサ。
【請求項４９】
前記細長い部材のすべてが、前記栓ガード本体内に湾曲して収められたフレームストックで一体的に形成される、請求項４５に記載の飲料ディスペンサ。
【請求項５０】
前記栓の前方に位置する前記上向きセクションが、２つのほぼ垂直な部材によって支持されたクロスバー部材を有する、請求項４５に記載の飲料ディスペンサ。
【請求項５１】
前記クロスバー部材および前記２つのほぼ垂直な支持部材が、前記栓に向かって内向きに傾斜して、前記クロスバー部材の下方で、２つのほぼ垂直な前記支持部材間において、前記ノズルの前記底部を見ることを容易にするための面を形成している、請求項５０に記載の飲料ディスペンサ。
【請求項５２】
前記栓ガード全体が、相互接続された部材からなり、そして、下向き開口が、前記細長い部材の間のギャップである、請求項４５に記載の飲料ディスペンサ。
【発明の詳細な説明】
【技術分野】
【０００１】
本発明は、一般に、飲料ディスペンサに関し、より具体的には、ディスペンサ本体の底部からおよび栓組立て体の栓ガードに飲料を手作業で計量分配するためのそのような栓組立て体を有する飲料ディスペンサに関する。
【背景技術】
【０００２】
飲料を包含する中空本体と、カウンタトップなどの支持表面の上で本体を支持するベースとを備えるタイプであり、中空本体の底部から飲料を計量分配するための手で動作される栓をも有する飲料ディスペンサが周知である。既知の加熱飲料ディスペンサでは、そのような栓は、水平径方向の栓パイプに接続され、この水平径方向線パイプは、中空本体の底部の下に位置するディスペンサハウジングの下方部分から外向きに延びる。栓パイプは、中空本体の低部の最下面にある出口から下方に延びる垂直ドレインパイプに接続される。栓パイプおよびドレインパイプは、一般に、比較的剛性のステンレス鋼、または他の同様の金属合金、もしくは、比較的剛性で自立し、かつ高温腐食性の液体および蒸気に対して耐性のある他の材料で形成される。残念ながら、既知のホットドリンクディスペンサでは、ステンレス鋼ドレインパイプとステンレス鋼栓パイプとの接続は、プラスチックなどで形成された可撓性があり弾力的な一般に剛性ではない管など、別の接続手段による。ドレインパイプと栓パイプとの間の既知の非一体的な接続は、清浄および耐久性についていくつかの問題を提示することが欠点である。
【０００３】
また、既知の加熱飲料ディスペンサでは、栓は、栓入口パイプによって、外向きに延びる水平栓パイプに接続され、栓入口パイプの内部では、栓パイプが受けられ、かつ機械式固定具によって固定される。ボルトまたはねじなどの機械的固定具は、時々清浄する必要がある際に、栓を栓パイプからはずすために器具を必要とし、特別な器具を必要とすることもある。栓、栓パイプ、ドレインパイプ、Ｕ字型接続管、中空本体の内部および中空を支持および閉鎖する外表面、ならびに実質的に分離される本体を定期的に容易に清浄することが、健康のために必要である。残念ながら、栓を栓パイプから取り外すことが困難であるために、清浄は、所望されるほど頻繁には行われていない。ドレインパイプおよび栓パイプは、温水を使用して、パイプの内表面を手作業でブラッシングすることによって清浄される。パイプは、この機械的なブラッシングに対して比較的耐性があるが、Ｕ字型管は、ブラシの端部が当たって損傷することがある。一般に、Ｕ字型管は、磨耗および劣化しやすいが、ステンレス鋼は、そうではない。
【発明の開示】
【発明が解決しようとする課題】
【０００４】
本発明の飲料ディスペンサおよび方法によれば、既知の飲料ディスペンサの上述した方法および欠点。
【課題を解決するための手段】
【０００５】
これは、上部と、底部と、上部と底部との間に延びる包囲側壁とを有する中空本体と、支持面の上方で底部を支持するベースとを備える加熱飲料ディスペンサにおいて、中空本体の底部に接続され、かつ包囲側面から外向きに延びるほぼ水平なセクションを有する出口パイプと、水平なセクションと重なって接続するための栓シャンクを有する栓と、栓シャンクによって支持された栓ロック部材と、栓シャンクを出口パイプに取外し可能にロックするために、栓ロック部材と取外しロック係合する結合出口パイプロック組立て体とを有する手で取外し可能な栓組立て体を提供することによって、部分的に達成される。
【０００６】
出口パイプ全体は、ステンレス鋼または他の同様の金属で完全に形成され、中空本体の底部に接続されたほぼ水平なセクションと、ほぼ垂直なセクションを水平なセクションと相互接続するエルボーセクションとを有することが好ましい。垂直なセクションと、エルボーセクションと、水平なセクションとは、金属パイプの単一部品から共に一体的に形成される。栓シャンクは、環状スロットを含み、環状スロットは、環状スロットの内端部分と栓シャンクの内部との間を連絡する内向き円筒スロットに接合された栓シャンクの自由端部から外向きに延び、また栓シャンクは、Ｏリングを含み、Ｏリングは、外向き環状スロットの内部においてはめ込まれ、栓シャンクの内部に受けられたとき、出口パイプと密封係合するように栓シャンクの中に内向きに部分的に延びる。
【０００７】
阻止部材は、径方向外向き回転ロック受けスロットを有し、ロック部材は、回転ロック受けスロットの内部においてスライド結合受けするための径方向内向き回転ロックコネクタを有することが好ましい。回転ロックコネクタは、１対の弾力性を有し径方向に延びるほぼ平行なロックフィンガを有し、フィンガの自由端部は、回転ロック受けスロットの中に挿入されている最中にフィンガを共に押すために、回転ロック受けスロットの対抗側面と係合するカム表面を有する。
【０００８】
目的は、また、上部と、底部と、上部と底部との間に延びる包囲側壁とを有する中空本体と、支持表面の上で底部を支持するベースとを備える加熱飲料の飲料ディスペンサに、中空本体の底部に接続され、かつ包囲側面から外向きに延びるほぼ水平なセクションを有する出口パイプと、水平なセクションと接続するための栓シャンクと末端下向き開口を有するノズルとを備える栓と、末端下向き開口と水平に位置合わせされた開口を有する底部に固定され、かつ栓ノズルがノズルの下から外れるのを防止するための、末端下向き開口に位置するまたはその下に位置する最下ガード面を有するほぼ水平なセクションを備える栓ガードと、栓の前方にある上向きセクションとを有する栓組立て体を提供することによって、既知の栓ガード組立て体に関して達成される。上向きセクションは、透明であることが好ましい。
【０００９】
この目的は、また、上部と、底部と、上部と底部との間に延びる包囲側壁とを有する中空本体と、支持面の上方で底部を支持するベースとを備える飲料ディスペンサに、中空本体の底部に接続され、かつ包囲側壁から外向きに延びるほぼ水平なセクションを有する出口パイプと、水平なセクションと接続するための栓シャンクと、末端下向き開口を有するノズルとを有する栓と、末端下向き開口と水平に位置合わせされた開口を有する底部に固定され、かつ最下ガード面を有するほぼ水平なセクションを備える栓ガードと、末端下向き開口に隣接するノズルを見ることを可能にするために少なくとも部分的に透明である栓の前方にある上向きセクションとを提供することによって達成される。好ましくは、立上りセクションはラベル支持部材を取り付けるための手段を有する。
【００１０】
栓ガードの一形態では、透明材料から形成される代わりに、ガードの構成に形成された相互接続細長フレーム部材で形成され、ノズル端部は、部材間の空間を通して見ることができる。栓ガードの水平なセクションは、平面に構成された複数の細長い部材によって形成され、最下面は、栓ノズルの最下面の下に位置する水平なセクションを形成する細長い部材の最下面によって形成される面によって形成される。栓ガードは、２つのほぼ垂直な部材によって支持されたクロスバー部材を有する栓の前方にある上向きセクションをも含むことが好ましい。クロスバー部材および２つのほぼ垂直な支持部材は、クロスバー部材の下において、かつ２つのほぼ垂直な支持部材の間において、ノズルの底部を見ることを容易にするように、栓に向かって内向きに傾斜した面を形成する。
【００１１】
以上の有利な特徴について、より詳細に記述し、その他については、図面のいくつかの図を参照して与えられる好ましい実施形態の詳細な記述から明らかになるであろう。
【発明を実施するための最良の形態】
【００１２】
図１〜４を参照すると、本発明の飲料ディスペンサ２０は、上部カバー２４と、底部２６とを有する中空円筒本体２２と、カウンタまたはサービングカートの上部など、支持表面３０を隆起させた底部で本体２２を支持するためのベース組立て体２８とを含むことがわかる。ベース組立て体２８は、前方に延びる水平なセクション３４の間に延びる垂直なセクション３２を有する。カバーは、ホットコーヒーなどの飲料が中空本体２２の内部に直接通過することが可能である入口開口３６を有する。ドリップトレイ組立て体４０のゲート３８は、栓組立て体４２のすぐ下の位置において水平なセクション３４によって支持される。
【００１３】
栓組立て体４２は、旋回式に取り付けられた作動ハンドル４４を有し、このハンドルは、栓本体４６の上部に取り付けられ、この栓本体は、入口シャンク中を有する空入口栓シャンク４８と栓出口ノズル５０とを相互接続する、ハンドル４４によって動作されるバルブ（図示せず）を含む。栓ハンドル４４、栓本体４６、栓本体４６の内部に含まれるバルブ、出口ノズル５０、これらの部分に関する詳細、動作栓への組立て、および栓が本発明の一部ではない形態を動作する方式は、従来通りとすることが可能である。簡潔には、栓ハンドル４４が、図２の実線で示すように直立した傾斜していない位置にあるとき、バルブは閉じており、飲料がバルブを通って中空入口シャンク４８から出口ノズル５０に移動することはない。バルブが手で開位置に保持されていないとき、本体４６の内部に配置されたばね（図示せず）が、バルブを弾性的に偏向させて、この閉鎖位置に自動的に移動させる。ハンドル４４が、図３の破線で示した位置４４’まで矢印５２の方向に旋回したとき、バルブは開かれ、中空本体内の飲料が、入口シャンク４８およびバルブを通って、出口ノズル５０から出て、供給用の適切な容器の中に移動する。
【００１４】
図４および５をも参照すると、以下で詳細に記述する本発明の栓組立て体４２に関して新規であることには、入口シャンク４８の特別な端部構成と、中空本体２２の内部と入口シャンク４８とを相互接続する出口パイプの特別な端部構成と、器具を使用せずに栓組立て体４２の残りを容易に手で取り外し、かつ手で取り付けることを可能にするシャンク４８および出口パイプの特別な端部構成と共動する迅速取外しロックおよび取付け機構ならびに方法とが含まれる。そのような迅速取外しにより、出口パイプ５２の出口端部５４の中に挿入されたブラシなどで、栓組立て体４２自体を清浄し、かつ中空本体２２の外部からディスペンサ出口パイプ５２の内部を清浄する能力が向上される。
【００１５】
本発明の他の態様を堅持して本発明の一態様を達成するために、計量分配出口パイプ５２は、非金属部分のない好ましくはステンレス鋼である金属の単一部品で形成される。具体的には、計量分配出口パイプ４８を損傷する危険を冒さずに清浄をさらに容易にするために、出口パイプ４８の水平ラン５６と垂直ラン５８との間の９０度の湾曲部には、シリコン管ストックなどで形成された脆弱な接続接合部は存在しない。９０度湾曲部６０は、垂直ラン５８および水平ラン５６と共に一体的に形成された出口パイプ５２の部品によって形成される。出口パイプ４８全体は、サイズに合うように湾曲および切断され、次いで機械加工し、フランジ付けされたステンレス鋼管ストックの単一部品で形成されることが好ましい。
【００１６】
計量分配パイプ５２の入口端部は、他のステンレス鋼コネクタ６２を受けるようにフレア型にされる。このコネクタは、計量分配パイプが通過する空間を提供するために、底部２６の上の中空本体２２の内部において支持された絶縁ライナ６８の底部６６において、計量分配パイプ５２とドレイン穴６４とを相互接続する。計量分配パイプ５２の出口端部は、中空入口シャンク４８に簡単に挿入するのを容易にするために、外表面上に内向き先細りベゼル７０を有するように特に適合または構成される。計量分配パイプ４８の水平ラン５６は、密封開口７２を通過し、外部領域７４を有する。この外部領域は、底部２６に隣接する位置において、好ましくは少なくとも１インチだけ中空本体２２の前面を実質的に超えて延びる。栓組立て体４２は、それにより、中空本体２２の前面７６に片持ち取り付けされる。
【００１７】
ここで図６および７をも参照すると、栓組立て体４２の中空入口シャンク４８の入口端部には、回転インタリーブ、雌、回転ロック部材７８がある。雌ロック部材７８は、入口シャンク４８の中空円筒本体の自由開端部において一体的に形成されることが好ましく、雌ロック部材７８の本体の中央から径方向外向きに開くロック受けノッチ８０を備えるほぼ半分の環状形状を有する。雌ロック部材７８の端部７９および８１は、ロック組立て体９２のスライドプレート９４の底部９１を押すカム表面を形成するように傾斜している。スライドプレートが下方位置にある場合、栓シャンクおよび雌ロック部材が１８０度回転しているとき、底部に対するカム表面の力は、スライドプレートが、図５に示すロック位置から外れる回転に対抗してスライドプレートをロックすることが可能である上部位置に到達することができるように、雌ロック部材の経路からスライドプレートを押し出す。
【００１８】
入口シャンクの端部も、弾性Ｏリング８２を含むＯリング密封組立て体が、入口シャンク４８の自由端部にある円筒スロット８４の内部に受けられるように、特別に適合される。入口シャンク４８の内側にある環状スロット８６が、円筒スロット８４と連絡し、Ｏリング８２は、環状スロット８６に位置して、出口間５２の水平ラン５６の外向きに延びる部分７４の外表面と入口シャンク４８の内表面とを係合させ、密封する。出口パイプ５２の出口端部における内向き傾斜表面は、出口端部を入口シャンク４８に簡単に挿入するのを容易にし、出口パイプ５２の端部がＯリング８２の側面に当たって、Ｏリング８２をはずす、または損傷するのを防止する。代わりに、傾斜端部は、Ｏリング８２の内部においてＯリングに接触せずにスリップして、出口パイプ５２がシャンク４８の中にさらにスライドする際に、Ｏリング８２と径方向外向きに徐々に係合する。Ｏリングの内部にある出口パイプ５２の部分は、図５に示すように完全に挿入されたとき、傾斜端部７０の内向き配置された表面から出口パイプ５２の完全にＯリングと係合した円筒表面に徐々に移動する。Ｏリングが装備され、環状スロット８６の内部に位置した後、環状スロット８６の内部に位置したＯリングを適所に維持するために、保持装置８８が、円筒スロット８４の端部に挿入される。
【００１９】
図８、９、および１０を参照すると、本体２２の前面は、出口パイプ５２の上方部分と重なる固定ロック部材９０およびスライドロック組立て体９２を支持する。図１１、１２、および１３を参照すると、スライドロック組立て体９２は、出口パイプ５２とシャンク４８を受けるための細長いスロットを備えるスライドプレート９４を有する。図５からもわかるように、スライドプレート９４の背面９６は、中空本体の前面に隣接して位置する。スライドプレート９４の前面９８の前方には、雄ロック組立て体１００が位置する。雄ロック組立て体は、１対の間隔をおいて配置された弾力性を有し下方に延びるフィンガ１０２および１０４を有する。フィンガ１０２および１０４の自由端部には、外向きに延びるロック部材１０６および１０８がそれぞれある。ロック部材１０６および１０８の外側面には、傾斜カム表面１１０および１１２がある。栓組立て体４２の装備中、シャンク４８は、底部において、ハンドル４４の上部により出口パイプ２２の前方向領域７４の上にスリップする。この反転位置では、雌ロック部材７８が、固定ロック部材９０の下を通過するのが可能になる。スライドプレート９４の底部１１４と係合する際に、栓は、雌ロック部材９０が固定ロック部材９０の背面とスライドプレート９２の前面との間の位置まで回転するように、１８０度回転する。ロック受けスロット９０が、フィンガ１０２および１０４の自由端部のすぐ下にあるとき、ロック部材１０６および１０８がロック受けスロット９０の内部において完全に係合するまで、スライドロックは下降する。ロック受けスロット９０は、外向きに延びるポケット１１１および１１３を有し、その内部において、外向きに延びるロック部材１０６および１０８が完全にロックされたときにぴったり受けられる。スライドロック９２が下降したとき、傾斜カム表面１１１および１１３は、入口１１５の対向側面によってロック受けノッチ８０に係合され、それにより、カム表面のピーク１１４および１１６が入口１１５を通過して、フィンガ１０２および１０４が、外向きに延びるポケット１１１および１１３の内部にぴったり受けられるロック部材１０６および１０８と外向きに弾性的にスナップするまで、フィンガ１０２および１０４は、共に押し込まれる。完全にロックされたとき、栓組立て体４２は、完全に直立した動作位置から、固定ロック部材９０と雌ロック部材７８との係合によっては取外しが阻止されない反転取外し位置に回転するのを防止される。ロック位置を図９に示し、ロックされていない位置を図１０に示す。
【００２０】
栓組立て体４２をはずすために、スライドプレートは、底部１１８から上方に押され、ピーク１１４および１１６の上のカム表面１２０および１３０は、ピーク１０２および１０４がノッチ８０の入口を上方に通過するまで、フィンガ１０２および１０４を共に押し出す。次いで、フィンガは、図１１に示す応力を加えられていない位置に戻り、再び、スライドプレートの上部１２０を下方に押すことによりスライドプレートを下方に移動させることによってロックする用意が整う。スライドプレートは、雌ロック部材がロック位置まで回転している最中に、雌ロック部材の端部のカム表面によって上方に押される。
【００２１】
ここで図１４および１５を参照すると、本発明の他の目的が、栓ガード組立て体５２を提供することによって達成される。既知の栓ガードとは異なり、栓ガードのすべてまたは一部は透明であり、これにより、栓４２の底部をより良く見ることができるようになり、使用者が、カップおよび他の容器を栓組立て体４２の計量分配出口５０のすぐ下に適切に位置合わせして配置することを補助する。ほぼＬ型のガード部材１２７の直立部分１２４の少なくとも一部１２２は、透明である。さらに、直立部分１２４は、直立部分の透明部分を通して栓を見ることを容易にするために、栓組立て体４２のほぼ前方の位置から上方および内向きに傾斜している。商標または飲料名などを載せるためのインサートは、直立部分１２４の最上部分に限定されるか、または不透明部分がそのために限定される。ガード部材１２７全体は、一体的に形成され、また、透明であるだけでなく、食品と接触して使用することができ、かつ劣化せずに高温および湿気に耐えることができる任意の適切な材料で形成されることが好ましい。
【００２２】
直立部分１２２の上方部分は、Ｕ字型で弾力的なスナップオンプラスチック部材１３０の形態であるＵ字型の宣伝または飲料名インサート１２８を受けるように適合された移動止めまたは中空セクション１２６を有する。インサートが末端端部１３１まで下に延びる場合、スナップオン部材１３０も透明とすることが可能であり、また、宣伝、ロゴ、またはラベルを見ることと、栓４２の底部を見ることとの両方を可能にするように、透明背景を有することが可能である。代替では、スナップオン部材１３０自体またはスナップオン部材の不透明部分は、栓の底部５０の透明部分を通る視線をさえぎることを予め排除するために、ガード組立て体の直立部分１２２の上部１３５に十分近い位置１３３までのみ延びる。部材１３０全体が不透明である場合でも、部材１３０の下の透明セクション１３２と、ならびに側面ウィンドウ１３１および１３３とにより、視覚的アクセスは、依然として改善される。所望であれば、宣伝インサート部材１３０は、容易に完全に取り外すことが可能であり、ガード部材１２７は、宣伝インサート部材１３０の移動止め１２６と共にであるが、宣伝部材１３０自体を用いずに、使用することが可能である。移動止めは、宣伝自体が所望されない場合、排除することが可能であり、または、移動止めを使用せずに宣伝インサートを使用する、あるいは宣伝インサートをガードに一体化することが可能である。
【００２３】
図５から最適にわかるように、栓ガード組立て体４２は、中央の細長い取付けスロット１３２の内部に受けられる手動ねじ込み固定具１３５を含む。スロット１３２は、直立部分１２２が取り付けられる端部から対向する水平取付けプレート１３６の後縁に開口１３４を有する。この開口１３４により、ねじ込み固定具１３５を底部２６から分離せずに、ガード部材１２７を取り外して、位置調整することが可能になる。ねじ込み固定具１３５は、それが内部に受けられるねじ穴１４１ともはやねじ込み係合していない場合でも、固定具１３５が底部２６から取り外されるのを防止するために、ねじ込みセクションの前方に内部阻止部材１３９を有することが好ましい。ねじ込み固定具は、図１６〜１８の栓ガード組立て体１６０を下に取り付けるために使用されたとき、対応するスロット１７０の内部に受けられる。
【００２４】
本発明の他の目的を達成するために、図５から最適にわかるように、既知のガード組立て体とは異なり、本発明の栓ガード組立て体６０では、ガード部材１２７は、栓組立て体４２の底部が、水平ガードプレート１４４の底面１４２よりわずかに上にある状態で取り付けられる。栓出口５０は、水平ガードプレート１２７の上面１４３と水平ガードプレート１４４の底面１４２との間に位置することが好ましい。ガードプレート１４４の上面１４３が計量分配出口５０より上にあるので、水平ガードプレート１４４の上で上方にはねかかるのは、出口５０がガードの上に位置する環境と比較して低減される。ガード組立て体６０の底面１４２が計量分配出口５０より下にあるので、底面１４２は、計量分配出口５０の下からカップを取り外す最中に、カップまたは他の容器が栓の底面と意図せずに横方向に係合するのを防止する。そのような横方向係合は、計量分配出口５０が底面と同一表面上または底面より上になく、代わりに水平ガード部材１４４の底面の実質的に下において延びる既知のガードでは生じることがある。
【００２５】
図１６、１７、および１８を参照すると、図５の栓ガード組立て体６０の周囲の近似的な形状に湾曲された単一中実コアステンレス鋼ロッドから形成された代替栓ガード組立て体１６０が示されている。水平なセクションは、２つの平行Ｕ字型ロッドセクション１６２および１６４で形成される。内側部分１６６および１６８は、ガード組立て体６０の図１４のスロット１３４に対応するスロット１７０を形成し、ガード組立て体１６０を飲料ディスペンサ２０の底部２６に取り付けるために、ねじ込み固定具１３５によって同様に係合される。Ｕ字型部材１６２および１６４の外側平行部分１７２および１７４は、基本となる支持を１対の直立セクション１８０および１８２に提供するために、内側部分１６６および１６８の端部１７６および１７８から前方に延びる。直立セクションは、ガードの上方縁を形成する水平交差セクション１８４によって相互接続される。図１６および１８からわかるように、交差部材１８４は外向きに曲げられる。図１６からわかるように、直立部材１８０および１８２は、栓４２から内向きに傾斜している。これにより、栓ガード１６０の周囲の形状および寸法は、栓ガード６０とほぼ同じとなり、図５および１１〜１４を参照して示し、記述したのとほぼ同じ方式で、栓に対してはめ込まれる。Ｕ字型セクション１６２および１６４の最下面によって形成される面１７５は、栓ガードが適切に取り付けられたとき、ノズル５０の最下部分より少なくともわずかに上にある。ノズルの最下部分５０も、交差セクション１８４の下にある、直立部材１８０と１８２との間の空間を通して、飲料ディスペンサ２０の前方から見ることができる。
【００２６】
直立セクションである直立部材１８０および１８２が内向きに傾斜していることにより、クロスバー１８４は、飲料ディスペンサ２０により接近し、かつノズル端部５０の明瞭な視界から出るように移動する。クロスバー１８４は、栓を保護することの他に、ディスペンサの移動中にディスペンサを手で操作することを容易にするように、ハンドルの追加の機能を果たすことが可能である。
【００２７】
本発明の実施について考慮される最適なモードを示すために、特定の実施形態について詳細に開示してきたが、添付の請求項において確定される本発明の範囲から逸脱せずに、そのような詳細に関して多くの修正を実施することが可能であることを理解されたい。
【図面の簡単な説明】
【００２８】
【図１】ドリッププレート組立て体と、対先端ベース組立て体の領域に対するディスペンサ本体の中心の相対位置とを示す、本発明の飲料ディスペンサの好ましい実施形態の平面図である。
【図２】栓組立て体の前面を示す図１の飲料ディスペンサの前面図である。
【図３】栓組立て体を再び示す、図１および２の飲料ディスペンサの側面図である。
【図４】飲料ディスペンサ全体を示す、図３のディスペンサの横断面図である。
【図５】図３に関して上記で留意した栓組立て体および特徴をより良く示す、図３のディスペンサの側面図の拡大部分図である。
【図６】計量分配出口パイプから取り外されたときの本発明の取外し可能栓組立て体の断面図である。
【図７】入口パイプ、またはシャンク、および図６の栓組立て体のシャンクによって支持された雌ロックコネクタの左側面図である。
【図８】飲料ディスペンサの計量分配出口パイプに取り付けられ、かつロックされる様子をより良好に示す、図３の栓組立て体の側面図の拡大部分図である。
【図９】栓シャンクが出口パイプから軸方向に取り外されるのを防止するために、ロック位置にあるときの出口パイプに取り付けられたスライドロック組立て体の前面断面図である。
【図１０】図６と同様であるが、栓シャンクを出口パイプから取り外すのを可能にするように、スライドロック組立て体がロックされていない位置にある、スライドロック組立て体の他の前面断面図である。
【図１１】図９および１０のロックのスライドロック部材の前面図である。
【図１２】図１１のスライドロック部材の上面図である。
【図１３】図１１のスライドロック部材の側面図である。
【図１４】図２〜５においても確認される栓ガードの平面図である。
【図１５】図１４の栓ガードの側面図である。
【図１６】透明プラスチックの代わりに湾曲ワイヤストックで形成された代替栓ガードの側面図である。
【図１７】図１６の代替栓ガードの前面図である。
【図１８】図１６および１７の代替栓ガードの平面図である。
【国際公開パンフレット】
2005500218.tif 000003
2005500218.tif 000004
2005500218.tif 000005
2005500218.tif 000006
2005500218.tif 000007
2005500218.tif 000008
2005500218.tif 000009
2005500218.tif 000010
2005500218.tif 000011
2005500218.tif 000012
2005500218.tif 000013
2005500218.tif 000014
2005500218.tif 000015
2005500218.tif 000016
2005500218.tif 000017
2005500218.tif 000018
2005500218.tif 000019
2005500218.tif 000020
2005500218.tif 000021
2005500218.tif 000022
2005500218.tif 000023
2005500218.tif 000024
2005500218.tif 000025
2005500218.tif 000026
2005500218.tif 000027
2005500218.tif 000028
2005500218.tif 000029
【国際調査報告】
2005500218.tif 000030